(57)【要約】【課題】屋根パネルの設置が容易となり、かつ居住空間を有効利用できる屋根の支持構造を提供する。本発明は、複数の屋根パネルで構成される勾配屋根を、束材間に架設された横架材で支持する屋根の支持構造であって、横架材は、その両側に突出した複数の支持材と、各支持材にそれぞれ設けられた受け材とを備え、各受け材に屋根パネルが固定されている構造とした。【解決手段】複数の屋根パネル２０で構成される勾配屋根Ｙを、束材１１ａ間に架設された横架材１６で支持する屋根の支持構造であって、横架材１６は、その両側に突出した複数の支持材１７と、各支持材１７にそれぞれ設けられた受け材１８とを備え、各受け材１８に屋根パネル２０が固定されていること。【選択図】      図４
2004190296.tif 000002
【特許請求の範囲】
【請求項１】
複数の屋根パネルで構成される勾配屋根を、束材間に架設された横架材で支持する屋根の支持構造であって、
前記横架材は、その両側に突出した複数の支持材と、
前記各支持材にそれぞれ設けられた受け材とを備え、
前記各受け材に屋根パネルが固定されていることを特徴とする屋根の支持構造。
【請求項２】
請求項１記載の屋根の支持構造において、前記受け材に複数のボルト穴が設けられていることを特徴とする屋根の支持構造。
【請求項３】
請求項１または２記載の屋根の支持構造において、前記横架材は、前記支持材および前記受け材と予めユニット化されていることを特徴とする屋根の支持構造。
【請求項４】
請求項１〜３記載の屋根の支持構造において、上階建物ユニット上に設置されたロフトパネル上には、前記受け材と対向配置された接合金具が設けられていることを特徴とする屋根の支持構造。
【請求項５】
請求項１〜４記載の屋根の支持構造において、前記横架材の直下に空間が設けられていることを特徴とする屋根の支持構造。
【発明の詳細な説明】
【０００１】
【発明の属する技術分野】
本発明は、屋根の支持構造に関し、特に屋根パネルの設置を容易にすることができる屋根の支持構造に関する。
【０００２】
【背景の技術】
従来、建物には切妻屋根、寄棟屋根等の勾配屋根を有するものがある。例えば、切妻屋根は、大棟の両側にのみ傾斜屋根面を有する屋根であり、寄棟屋根は、大棟から４方向に向かう傾斜屋根面を有する屋根である。従来では、勾配屋根を施工するにあたり、建物本体に複数の束を立設し、この束で勾配屋根パネルを支持することが行われている（例えば、特許文献１参照。）。
【０００３】
【特許文献１】
特開平８−２８４３００
【０００４】
【発明が解決しようとする課題】
しかしながら、屋根パネルを確実に支持するためには複数の束を屋根パネルの設置数に応じて立設する必要があり、作業工程が頓雑になるという問題があった。また、屋根直下の空間、いわゆるロフトスペースに束が突出してしまう形態になりロフトスペースを有効利用できない恐れもあった。さらに、勾配屋根においては、構造上、屋根パネルを傾斜した状態で接合する必要があるため、接合作業が困難になる不都合が生じていた。したがって、屋根パネルの接合作業を容易にし、ロフトスペースの有効利用を図ることが望ましい。
【０００５】
本発明は、屋根パネルの設置が容易となり、かつ居住空間を有効利用できる屋根の支持構造を提供することにある。
【０００６】
【課題を解決するための手段】
本発明は、複数の屋根パネルで構成される勾配屋根を、束材間に架設された横架材で支持する屋根の支持構造であって、横架材は、その両側に突出した複数の支持材と、各支持材にそれぞれ設けられた受け材とを備え、各受け材に屋根パネルが固定されている構造とした。
【０００７】
このような本発明によれば、屋根パネルの設置作業を容易にすることができる。すなわち、屋根パネルを設置する際、傾斜角度によって屋根パネルと束材の固定が困難であったが、上記のように束材間に架設した横架材の両側に突出した支持材に、予め受け材が設けられているため、屋根パネルと横架材との間にスペースが生まれ、傾斜角度を気にすることなく屋根パネルを固定することができる。
【０００８】
前記受け材に複数のボルト穴が設けられていることが望ましい。このように形成した場合、屋根パネルとの固定をより簡単に行うことができる。すなわち、屋根パネルと受け材を固定する際は、溶接等の方法も可能であるが、ボルト穴を設けることで容易に固定することが可能となる。
【０００９】
前記横架材は、支持材および受け材と予めユニット化されていることが望ましい。このように形成した場合、現場での施工手順の簡易化を図ることができる。すなわち、横架材に支持材および受け材を予め工場等で一体化しておき、それを作業現場へ輸送して設置することができるので、作業現場での施工工程の単純化、さらには工期短縮が可能となる。
【００１０】
上階建物ユニット上に設置されたロフトパネル上には、受け材と対向配置された接合金具が設けられていることが望ましい。このように形成した場合、屋根パネルを容易かつ確実に固定できる。すなわち、屋根パネルは受け材と接合金具によって固定されることになり、また、受け材と対向した位置に接合金具が設けられていることで、屋根パネルの位置決めが容易になる。
【００１１】
前記横架材の直下に空間が設けられていることが望ましい。このようにした場合、屋根裏を居住空間として有効利用できる。すなわち、横架材の直下は束材が設けられていないため、広々とした屋根裏空間を形成することが可能となる。
【００１２】
【発明の実施の形態】
以下、本発明の実施の形態について、図面を参照して説明する。
この実施形態では、本発明を２階建てユニット住宅に適用した例を示す。
【００１３】
図１にユニット住宅Ｔの１階および２階部分の組み立て概要を示す。ユニット住宅Ｔは四隅に立設されたフレームの上端に天井梁を、下端に床梁をそれぞれ掛け渡し、枠状に組み合わせて固定した１階建物ユニット１を基礎上にそれぞれ離しおいて配置されている。各１階建物ユニット１間には、補強梁（図示しない）が設けられており、その補強梁上に木床パネル２が設置されている。
【００１４】
各１階建物ユニット１間にはサッシパネルＳ（図１では一方のみ示す）が対向して配置され、１階建物ユニット１の天井梁（図示しない）にはジョイントビーム３が固定されている。ジョイントビーム３は後述する鋼製床パネル５と固定される補強梁である。各１階建物ユニット１の間隔部分に鋼製床パネル５を設置する。鋼製床パネル５は、ウェブおよびフランジを有する複数の鋼製溝型材（図示しない）を床面材（図示しない）に平行に固定し、一体化されている。
【００１５】
また、各１階建物ユニット１上に２階建物ユニット４がそれぞれ設置されている。２階建物ユニット４の一方側にはオーバーハング壁パネル６，７が固定され、それに対向してインナーバルコニー８が設けられている。上記のように構成することで、各建物ユニット１，４および、その間隔部分は居住空間として利用可能となっている。２階建物ユニット４間には、鋼製ロフト床パネル９が設置され、２階建物ユニット４上にフラットパネル１０がそれぞれ設けられている。
【００１６】
図２および図３にユニット住宅Ｔの屋根構造を示す。ユニット住宅Ｔの屋根は勾配屋根Ｙとなっており、フラットパネル１０上に束１１ａ，１１ｂが立設され、束１１ａ，１１ｂ間に圧縮横架材１３およびブレース１４がそれぞれ固定されている。束１１ｂは勾配屋根Ｙの両端部にそれぞれ立設され、束１１ｂの天端に固定された妻フレーム１２の下端は軒先側に向けてフラットパネル１０とそれぞれ固定されている。束材１１ａ間には横架材１６が架設されている。また、勾配屋根Ｙの両側に設置される屋根パネル２０は、妻フレーム１２に設けられている接合具（図示しない）と横架材１６に設けられている受け材１８とによって固定され、勾配屋根Ｙの中間部に設置される屋根パネル２０は、横架材１６の各受け材１８と固定されている。
【００１７】
図４〜７に横架材１６の詳細構造を示す。横架材１６は両側に突出した複数の支持材１７と、各支持材１７にそれぞれ設けられた受け材１８とを備え、各受け材１８に屋根パネル２０が固定されている。横架材１６は鋼製で形成されており、受け材１８は、屋根パネル２０の設置角度とほぼ等しく傾斜されている。この受け材１８は略正方形の鋼板で形成され、その中央部に支持材１７が支持され、屋根パネル２０の両端にそれぞれ固定された形態となっている。また、図６に示すように支持材１７は、受け材１８の上端および下端をそれぞれ支持する構造となっている。
【００１８】
したがって、屋根パネル２０の設置作業を容易にすることができる。従来、屋根パネルを設置する際、傾斜角度によっては屋根パネルと束材の固定が困難であったが、上記のように束材１１ａ間に架設した横架材１６の両側に突出した支持材１７に、予め受け材１８が設けられているため、屋根パネル２０と横架材１６との間にスペースが生まれ、傾斜角度を気にすることなく屋根パネル２０を容易に固定することができる。
【００１９】
また、図６，７に示すように、受け材１８には複数のボルト穴１９が設けられ、ボルト２１によって固定されている。このボルト穴１９を設けることにより、屋根パネル２０との固定をより簡単に行うことができる。すなわち、屋根パネル２０と受け材１８を固定する際は、溶接等の方法も可能であるが、ボルト穴１９を設けることによって、ボルト２１で容易かつ確実に固定することが可能となる。
【００２０】
さらに、横架材１６は、支持材１７および受け材１８と予めユニット化されている。したがって、作業現場での施工手順の簡易化を図ることができる。すなわち、横架材１６に支持材１７および受け材１８を予め工場等で一体化しておき、それを作業現場へ輸送して設置することができるので、作業現場での施工工程の単純化、さらには工期短縮が可能となる。
【００２１】
また、横架材１６の直下は空間Ｊが設けられているため、この空間Ｊを居住空間として有効利用できる。すなわち、横架材１６の直下は束材が設けられていない構造となっており、居室内に柱のない広々とした屋根裏空間が形成可能となる。
【００２２】
再度、図２において、受け材１８と対向したロフトパネル１０上には、接合金具１５が設けられている。したがって、屋根パネル２０を容易かつ確実に固定できる。すなわち、屋根パネル２０は受け材１８と接合金具１５によって上端および下端をそれぞれ固定することができ、また、受け材１８と対向した位置に接合金具１５が設けられていることで、屋根パネル２０を設置する際の位置決めを容易にすることができる。
【００２３】
このユニット住宅Ｔおよび勾配屋根Ｙを設置する際は、クレーン等により各ユニットまたはパネルを吊り上げて所定箇所に設置することにより、工期の短縮を図ることができる。
【００２４】
【発明の効果】
以上のように、本発明によれば、屋根パネルの設置が容易となり、かつ居住空間を有効利用できる屋根の支持構造を提供することができる。
【図面の簡単な説明】
【図１】本発明の実施形態に係るユニット住宅の組み立て概要を示す斜視図である。
【図２】本発明の実施形態に係る勾配屋根の構造を示す斜視図である。
【図３】本発明の実施形態に係る束材および横架材の架設形態を示す側面図である。
【図４】本発明の実施形態に係る屋根パネルと横架材の接合形態を示す断面図である。
【図５】本発明の実施形態に係る横架材を示す概略図である。
【図６】本発明の実施形態に係る横架材の構造を示す平面図である。
【図７】本発明の実施形態に係る横架材の構造を示す側面図である。
【符号の説明】
１  １階建物ユニット
２  木床パネル
３  ジョイントビーム
４  ２階建物ユニット
５  鋼製床パネル
６，７  オーバーハング壁パネル
８  インナーバルコニー
９  鋼製ロフト床パネル
１０  ロフトパネル
１１ａ，１１ｂ  束材
１２  妻フレーム
１３  圧縮横架材
１４  ブレース
１５  接合金具
１６  横架材
１７  支持材
１８  受け材
１９  ボルト穴
２０  屋根パネル
２１  ボルト
Ｊ  空間
Ｓ  サッシパネル
Ｔ  ユニット住宅
Ｙ  勾配屋根
【図１】
2004190296.tif 000003
【図２】
2004190296.tif 000004
【図３】
2004190296.tif 000005
【図４】
2004190296.tif 000006
【図５】
2004190296.tif 000007
【図６】
2004190296.tif 000008
【図７】
2004190296.tif 000009